(57)【特許請求の範囲】
【請求項１】
光源を具備する照射部、前記光源の点灯制御の選択を行うスイッチ、前記照射部を回転又は移動可能に支持し且つ前記スイッチを固定支持するハウジング、及び、両端に前記光源と前記スイッチとを接続するための各コネクタを有するワイヤハーネス、を備える照明灯用ワイヤハーネス取付構造において、
前記照射部は、前記ワイヤハーネスの前記光源側の一部を前記光源側に固定する光源側固定手段を備える光源側固定部材を具備し、
前記ハウジングは、前記ワイヤハーネスの前記スイッチ側の一部を前記スイッチ側に固定するスイッチ側固定手段を備えるスイッチ側固定部材を具備し、
前記ワイヤハーネスは、前記照射部の回転時又は移動時に、前記光源側固定手段と前記スイッチ側固定手段との間で変形し、前記光源側固定手段と前記光源側コネクタとの間及び前記スイッチ側固定手段と前記スイッチ側コネクタとの間では変形しないことを特徴とする照明灯用ワイヤハーネス取付構造。
【請求項２】
前記光源側固定手段及び前記スイッチ側固定手段は、前記ワイヤハーネスの前記光源側コネクタと前記光源側固定手段との間及び前記ワイヤハーネスの前記スイッチ側コネクタと前記スイッチ側固定手段との間において、前記ワイヤハーネス装着時の屈曲による負荷の影響を前記ワイヤハーネスの前記各コネクタへの接続部分に及ぼさない位置で前記ワイヤハーネスをそれぞれ固定するように配設されている請求項１記載の照明灯用ワイヤハーネス取付構造。
【請求項３】
前記光源側固定手段及び前記スイッチ側固定手段は、いずれもクランプ構造である請求項１又は２記載の照明灯用ワイヤハーネス取付構造。
【請求項４】
前記クランプ構造は、ワイヤハーネスを押さえ且つ弾性を有する押さえ部と、前記押さえ部の両端側に配設された各固定部と、を備え、
前記押さえ部は、前記固定部の間に前記ワイヤハーネスを押し込んで固定し、且つ、
前記ワイヤハーネス装着前の前記押さえ部と前記各固定部との間隔は、前記ワイヤハーネスの太さより狭く、且つ、
前記ワイヤハーネスは、装着後、前記押さえ部の弾性により前記押さえ部と前記各固定部とによって挟持される請求項３記載の照明灯用ワイヤハーネス取付構造。
【請求項５】
前記スイッチ側固定部材は、前記ワイヤハーネスが移動可能に貫通する通過孔を有し、且つ、
前記光源側固定手段は、前記通過孔の近傍に配設されている請求項１乃至４のいずれかに記載の照明灯用ワイヤハーネス取付構造。
【発明の詳細な説明】
【技術分野】
【０００１】
本発明は、可動光源を備えた照明灯用ワイヤハーネス取付構造に関し、更に詳しくは、互いに相対回転あるいは相対移動可能な光源と固定部との間に接続されたワイヤハーネスが光源の移動の際に変形しても端部のコネクタとワイヤハーネスとの間に外力が掛からず断線を防止することが可能な照明灯用ワイヤハーネス取付構造に関する。
【背景技術】
【０００２】
従来より、自動車等の屋根付きの車両の天井に装備する室内照明灯として、光源部を回転させることによって照射方向を変更可能なものが知られている。この種の室内照明灯としては、例えば、図１３に示すように、光源１００及びレンズ１０１を保持するランプボディ１０２と、このランプボディ１０２を球継手により回転可能に支持するランプハウジング１０３と、を備えた室内照明灯１０４が知られている（例えば、特許文献１参照）。この室内照明灯１０４によれば、天井１０５に固定されたランプハウジング１０３に対してランプボディ１０２を回転させることで照射方向を任意に変更することができる。
このような室内照明灯１０４では、光源１００の電極端子１０６とランプハウジング１０３側の制御基板（図示せず）とを規制のないワイヤハーネスにより接続している。
【０００３】
【特許文献１】実開平６−４２４１４号公報
【０００４】
しかし、前記従来の室内照明灯１０４では、互いに相対回転する光源１００と制御基板とを規制のないワイヤハーネスにより接続しているので、ランプボディ１０２の回転に伴ってワイヤハーネスが撓んだり伸ばされたりして、ワイヤハーネスの端部のコネクタへの取り付け部分に負荷を掛けてしまう。ワイヤハーネスのコネクタ取付部分は被覆がないので他の被覆部分に比べて強度が弱く、長期に亘り負荷を掛けたりあるいは曲げ伸ばしを繰り返すことにより断線してしまう可能性がある。
また、一般的に、ワイヤハーネスの固定方法として、結束バンドを用いたり、テープやボンドを用いて固定することが知られているが、いずれも別部品として用意する必要があり、コストや作業工程が増大してしまう。
更に、ワイヤハーネスの経路上にある部品に一体的に形成されるワイヤハーネス固定構造として、例えば、図１４（Ａ）に示すようなＵ字溝１０７にビニルテープで束ねたワイヤハーネス１０８を嵌め込んだり、あるいは図１４（Ｂ）に示す鉤爪１０９にワイヤハーネス１１０を入れ込むという構造が知られている。
しかし、Ｕ字溝１０７ではワイヤハーネス１０８をテープ巻きする必要があり作業工数が増加してしまう。また、Ｕ字溝１０７の開放部への押さえがないため、ワイヤハーネス１０８は撓み時の反発力で容易に外れてしまう。一方、鉤爪１０９では、ワイヤハーネス１１０の長手方向への動きは全く規制できない。これらの構造は、移動しないワイヤハーネスの経路を規制するために用いられるものであるため、移動するワイヤハーネスの固定に用いるには十分な効果を得ることができない。
【発明の開示】
【発明が解決しようとする課題】
【０００５】
本発明は、前記現状に鑑みてなされたものであり、互いに相対移動可能な光源と固定部との間に接続されたワイヤハーネスが光源の回転又は移動の際に変形しても端部のコネクタとワイヤハーネスとの間に外力が掛からず断線を防止することが可能な取付構造を提供することを目的とする。
【課題を解決するための手段】
【０００６】
本発明は、以下の通りである。
１．光源を具備する照射部、前記光源の点灯制御の選択を行うスイッチ、前記照射部を回転又は移動可能に支持し且つ前記スイッチを固定支持するハウジング、及び、前記光源と前記スイッチとを接続するワイヤハーネス、を備える照明灯用ワイヤハーネス取付構造において、
前記照射部は、前記ワイヤハーネスの前記光源側の一部を前記光源側に固定する光源側固定手段を備える光源側固定部材を具備し、
前記ハウジングは、前記ワイヤハーネスの前記スイッチ側の一部を前記スイッチ側に固定するスイッチ側固定手段を備えるスイッチ側固定部材と、を具備し、
前記ワイヤハーネスは、前記照射部の回転時又は移動時に、前記光源側固定手段と前記スイッチ側固定手段との間で変形し、前記光源側固定手段と一方の端部との間及び前記スイッチ側固定手段と他方の端部の間では変形しないことを特徴とする照明灯用ワイヤハーネス取付構造。
２．前記光源側固定手段及び前記スイッチ側固定手段は、前記ワイヤハーネスの光源側コネクタと前記光源側固定手段との間及び前記ワイヤハーネスのスイッチ側コネクタと前記スイッチ側固定手段との間において、前記ワイヤハーネス装着時の屈曲による負荷の影響を前記各コネクタに及ぼさない位置で前記ワイヤハーネスをそれぞれ固定するように配設されている上記１．記載の照明灯用ワイヤハーネス取付構造。
３．前記光源側固定手段及び前記スイッチ側固定手段は、いずれもクランプ構造である上記１．又は２．記載の照明灯用ワイヤハーネス取付構造。
４．前記クランプ構造は、ワイヤハーネスを押さえ且つ弾性を有する押さえ部と、前記押さえ部の両端側に配設された各固定部と、を備え、
前記押さえ部は、前記固定部の間に前記ワイヤハーネスを押し込んで固定し、且つ、
前記ワイヤハーネス装着前の前記押さえ部と前記各固定部との間隔は、前記ワイヤハーネスの太さより狭く、且つ、
前記ワイヤハーネスは、装着後、前記押さえ部と前記各固定部とによって強固に挟持される上記３．記載の照明灯用ワイヤハーネス取付構造。
５．前記スイッチ側固定部材は、前記ワイヤハーネスが移動可能に貫通する通過孔を有し、且つ、
前記光源側固定手段は、前記通過孔の近傍に配置され且つ前記光源側固定手段と前記スイッチ側固定手段との間の前記ワイヤハーネスを前記通過孔を移動可能に変形するように固定する上記１．乃至４．のいずれかに記載の照明灯用ワイヤハーネス取付構造。
【発明の効果】
【０００７】
本発明の取付構造によれば、ワイヤハーネスを光源側固定手段及びスイッチ側固定手段により２箇所で固定すると共に照射部の回転時又は移動時にはワイヤハーネスは光源側固定手段とスイッチ側固定手段との間で変形し、光源側固定手段と一方の端部との間及び前記スイッチ側固定手段と他方の端部の間では変形しないようにしたので、ワイヤハーネスの変形時でも端部のコネクタ部分に外力が作用しない。これにより、ワイヤハーネスの各コネクタへの取付部における断線を防止することができる。
また、光源側固定手段及びスイッチ側固定手段はそれぞれ照明灯を構成する部材に一体に設けられているので、固定手段のための部材を別に用意する場合に比べて部品点数を少なくすることができ、作業工程やコストの増加を極力抑えることができる。
更に、光源側固定手段及びスイッチ側固定手段がそれぞれワイヤハーネス装着時の屈曲による負荷の影響を各コネクタに及ぼさない位置でワイヤハーネスをそれぞれ固定するように配設されている場合は、照射部の回転時又は移動時のワイヤハーネスの変形による負荷だけでなく、ワイヤハーネスが装着された状態におけるワイヤハーネス自体の屈曲による負荷についても低減することができ、これにより、ワイヤハーネスの各コネクタへの取付部における断線をさらに防ぐことができる。
また、光源側固定手段及びスイッチ側固定手段がクランプ構造である場合は、簡易な構造で強い固定力を得ることができる。
更に、そのクランプ構造が、弾性を有する押さえ部と、その押さえ部の両端側に配設された固定部と、を備え、ワイヤハーネスを押さえ部の弾性によって各固定部の間に押し込んで固定し、且つワイヤハーネス装着前の固定部及び押さえ部の間隔がワイヤハーネスの太さより狭い場合は、各固定部と押さえ部との間の２箇所でワイヤハーネスを噛み込ませることができるので、ワイヤハーネスの固定を確実に行うことができる。しかも、このクランプでは構成部が僅か３つという簡易な構造であるので部品製造も容易である。
更に、スイッチ側固定部材にワイヤハーネスが移動可能に貫通する通過孔が形成され、且つ、光源側固定手段がその通過孔の近傍に配置されている場合は、ワイヤハーネスが確実に通過孔を貫通することができる。このため、照射部の回転時又は移動時において、各固定手段の間のワイヤハーネスは通過孔の中を移動するように変形することができるので、撓んで他の部材に噛み込む可能性を抑えることができる。
【発明を実施するための最良の形態】
【０００８】
本発明に係る取付構造は、光源を具備する照射部、前記光源の点灯制御の選択を行うスイッチ、前記照射部を回転又は移動可能に支持し且つ前記スイッチを固定支持するハウジング、及び、前記光源と前記スイッチとを接続するワイヤハーネス、を備える照明灯用ワイヤハーネス取付構造において、光源及びスイッチを接続するワイヤハーネスを取り付けるものである。
前記「照射部」は、ハウジングに対して回転あるいは移動など可動なものである限り、その動作の態様、形状、大きさ、材質、個数等は特に問わない。ここで、照射部がハウジングに対して回転する場合とは位置を同じくしながら照射方向を変更するものとし、移動する場合とは位置自体を変更するものとする。
前記「スイッチ」は、ハウジングに対して固定支持されるものである限り、その形状、大きさ、材質、個数等は特に問わない。前記「ワイヤハーネス」は、光源とスイッチとを接続するものである限り、その形状、大きさ、材質、個数等は特に問わない。
また、本発明に係る取付構造では、ワイヤハーネスの光源側の一部は光源側固定手段により光源側の部材（例えば、図３におけるレンズホルダ７、ＬＥＤホルダ１２、又はＬＥＤホールドプレート１３等）に固定されると共に、ワイヤハーネスのスイッチ側の一部はスイッチ側固定手段によりスイッチ側の部材（例えば、図３におけるアウターベゼル９、アウタープレート１０、又は基板３３等）に固定されている。
前記「光源側固定手段」及び「スイッチ側固定手段」は、照射部の回転時又は移動時にワイヤハーネスがこれら固定手段の間で変形し、各固定手段と各端部との間ではそれぞれ変形せず、且つこれら固定手段がそれぞれ照射部を構成している光源側固定部材及びハウジングを構成しているスイッチ側固定部材に備えられている限り、その形状、大きさ、材質、個数等は特に問わない。これら固定手段は、例えば、ワイヤハーネス装着時の屈曲による負荷の影響を各コネクタに及ぼさない位置でワイヤハーネスをそれぞれ固定するように配設されていることができる。
また、各固定手段としては、例えば、弾性を有する押さえ部と、押さえ部の両端側に配設された固定部と、を備え、押さえ部の弾性によって各固定部の間にワイヤハーネスを押し込んで固定する形態、若しくは固定部と弾性を有する押さえ部との間にワイヤハーネスを直接挟み込んで固定する形態であるいわゆるクランプ構造、又は帯状の締結具によってワイヤハーネスを締め込んで固定する形態とすることができる。特に、部品点数を少なくでき、構造も簡易にできるといった観点から、弾性を有する押さえ部と、押さえ部の両端側に配設された固定部と、を備え、押さえ部の弾性によって各固定部の間にワイヤハーネスを押し込んで固定する、という上記形態が最も好適である。
また、ワイヤハーネスの両端部を隔てる部材にワイヤハーネスが移動可能に貫通する通過孔が形成され、且つ、光源側固定手段及びスイッチ側固定手段の少なくとも一方がその通過孔の近傍に配置されるようにすることができる。ここで、「通過孔の近傍」とは、ワイヤハーネスの移動時に、ワイヤハーネスが他の部品に干渉しない又は噛み込まれず、確実に通過孔を移動可能な位置をとり得るように、ワイヤハーネスを固定することができる位置である。具体的には、通過孔を平面投影した時に、照射部の移動範囲がその通過孔の投影範囲に収まる位置とすることができる。
また、本実施形態のようなワイヤハーネス取付構造にすることによって、よりコンパクトな照明灯を製作することができるので、本実施形態を用いた照明灯は、特に、自動車等のスペースの限られた天井に配設するのに好適である。また、照射部を回転させて任意の照射方向を得る必要がある照明灯に用いることができ、例えば、車両、船舶及び飛行機等の乗り物の室内照明、家具の埋め込み照明等を挙げることができる。
【実施例】
【０００９】
以下、図面を用いて実施例により本発明を具体的に説明する。本実施例の取付構造は、乗用車の室内灯として用いる照明灯用ワイヤハーネス取付構造としている。
（１）室内照明灯の構成
本実施例の室内照明灯１は、図１〜図３に示すように、光源２及びレンズ３を有する照射部４と、光源２のオンオフ制御を行うリング式スイッチ５と、照射部４を支持するレンズホルダ７と、レンズホルダ７を支持する支持リング８と、支持リング８及びリング式スイッチ５を支持するハウジング６と、を備えている。また、リング式スイッチ５の内縁とレンズホルダ７の表面は近接及び／又は接触するように位置する。これらハウジング６とリング式スイッチ５とレンズホルダ７と照射部４は同心円状に形成されている。
ハウジング６は円形で合成樹脂からなり、室内側に露出するアウターベゼル９と、その裏側に蓋のように取り付けられるアウタープレート１０とを備えている。これらアウターベゼル９とアウタープレート１０との中に他の部品が収容される。
照射部４は、光源２であるＬＥＤを具備するＬＥＤユニット１１と、光源２からの光線の拡散を防止するＬＥＤホルダー１２と、レンズ３と、これらを一体化するＬＥＤホールドプレート１３と、を備えている。この照射部４はレンズホルダ７に固定されている。
【００１０】
レンズホルダ７の内側には円環形状の支持リング８が設けられている。支持リング８は、外周側に突出した第１の回転軸端１４と、この第１の回転軸端１４の反対側に形成された第１のシム受け孔１５と、第１の回転軸端１４と９０度ずれた位置に形成された第２の軸受１６と、この第２の軸受１６の反対側に形成された第２のシム受け孔１７とを備えている。第１のシム受け孔１５には第１のシム１８が、第２のシム受け孔１７には第２のシム１９がそれぞれ回転可能に設けられている。各シム１８，１９はエラストマー製とされている。
レンズホルダ７の内側には、支持リング８の第１の回転軸端１４を受ける第１の軸受２０と、第１のシム１８を保持する第１のシム受け２１とが形成されている。更に、第１の軸受２０が第１の回転軸端１４と組み合わされ、且つ第１のシム受け２１が第１のシム受け孔１５に設けられる第１のシム１８と組み合わされて第１の回転軸２２として構成される。これによって、レンズホルダ７は、任意の角度に回転及び維持することができるように支持リング８によって支持されている（図１参照）。
また、アウタープレート１０は、中央に孔が設けられている円板状体である底部１０ａと、底部１０ａの孔の周に沿って向かい合うように立設されている２つの支持柱１０ｂ、１０ｃと、底部１０ａの外周部であり且つアウターベゼル９の端部と接続されている外周部１０ｄとからなる。更に、一方の支持柱１０ｂの先端側には、支持リング８の第２の軸受１６を受ける第２の回転軸端２３が形成されている。また、他方の支持柱１０ｃの先端側には、第２のシム１９を保持する第２のシム受け２４とが形成されている。更に、第２の軸受１６が第２の回転軸端２３と組み合わされ、且つ第２のシム受け２４が第２のシム受け孔１７に設けられる第２のシム１９と組み合わされて第２の回転軸２５として構成される。これによって、支持リング８は、任意の角度に回転及び維持することができるようにアウタープレート１０によって支持されている（図２参照）。
ここで、レンズホルダ７と支持リング８とを連結する第１の回転軸２２と、支持リング８とアウタープレート１０とを連結する第２の回転軸２５とのなす角度は９０度としている（図４参照）。また、各回転軸での最大回転角度は５６度としている（図５参照）。
【００１１】
レンズホルダ７の外側にはリング式スイッチ５が設けられている。リング式スイッチ５は、円環状のスイッチノブ２６と、スイッチの接点となる金属製のスイッチプレート２７と、スイッチプレート２７に付勢するスイッチスプリング２８と、スイッチの回転時に節度感を出すためのピン２９及びピンスプリング３０と、を備えている。スイッチノブ２６の周縁には等間隔、つまりスイッチノブ２６を二分する位置に設けられた一対のフランジ３１を備えている。このフランジ３１はアウターベゼル９とアウタープレート１０により形成される案内孔３２に入って所定の回転角度内で案内され、スイッチノブ２６の回転軸となる。
スイッチプレート２７は、アウタープレート１０に装着された基板３３の接点パターンに接触する。ピン２９はアウタープレート１０に形成された３つの凹部３４に移動可能に入り込んでいる。そして、スイッチノブ２６を回転することにより、ピンスプリング３０によって凹部３４に付勢されたピン２９が一方の凹部３４から他方の凹部３４に移動することでスイッチの状態が変化した感触を得ることができる。これと同時にスイッチプレート２７が基板３３に対して移動し、接点パターンの接続状態が変化する。本実施例では、照明の常時点灯、常時消灯及びドアの開閉に連動する点灯の３つの状態を選択可能なものとしている。
アウターベゼル９は、室内側に露出するフランジ３９と、天井３５の裏側に引っ掛かる爪３６及び係合バネ３７とを備えている。係合バネ３７は爪３６と反対側に配置されており、室内照明灯１の天井３５への装着時には弾性変形して装着可能となり、装着後には天井３５の裏面に引っ掛かって脱落を防止する構造となっている。アウタープレート１０には基板３３が取り付けられている。
【００１２】
また、基板３３とＬＥＤユニット１１とはワイヤハーネス３８を介して電気的に接続されている。ここで、ＬＥＤホールドプレート１３には、ワイヤハーネス３８のＬＥＤユニット１１側の一部を照射部４に固定する光源側固定手段４０と、ＬＥＤユニット１１側のコネクタ４１の近傍においてワイヤハーネス３８の経路を規制するＵ字溝４２と、がそれぞれ一体形成されている。また、アウタープレート１０には、ワイヤハーネス３８のスイッチ側の一部を固定するスイッチ側固定手段４３が一体形成されている。
これら光源側固定手段４０及びスイッチ側固定手段４３は、例えば、図８及び図９に示すように、クランプからなるものとしている。即ち、スイッチ側固定手段４３は、ワイヤハーネス３８を下方へ押さえる押さえ部４５と、その押さえ部４５の両端側に配設され、押さえ部４５とによってワイヤハーネス３８を挟持する２箇所の固定部４４と、を備えている。押さえ部４５は、アウタープレート１０に一体的に形成されて弾性を有しており、ワイヤハーネスが側方へずれて外れてしまわないように先端部が鉤状に下方向へ向かって突出するような形状を有している。また、各固定部４４もまた、アウタープレート１０に一体的に形成されており、そのアウタープレート１０の表面から突出するように配設されている。各固定部４４の突出高さは、ワイヤハーネス３８をスイッチ側コネクタ４７に無理なく接続できるような高さに設定してある。これにより、ワイヤハーネス３８装着時においても、ワイヤハーネス３８自体の屈曲による負荷がワイヤハーネス３８のスイッチ側コネクタ４７への接続部分に掛かるのを防いでいる。
ここで、固定部４４及び押さえ部４５の位置関係は、図１０に示すように、ワイヤハーネス３８の装着前で外力が掛かっていない状態で、固定部４４及び押さえ部４５ａ、４５ｂの最も近い部分の間隔（押さえ部４５ａのように、ワイヤハーネスを押さえる面が固定部４４のワイヤハーネスを押さえる面の外側に存在する場合はＳ１、押さえ部４５ｂのように、ワイヤハーネスを押さえる面が固定部４４のワイヤハーネスを押さえる面の内側に存在する場合はＳ２）がワイヤハーネス３８の太さより狭くなるようにしている。この場合、固定部４４と押さえ部４５にワイヤハーネス３８を挟むと押さえ部４５がワイヤハーネス３８を各固定部４４の間に押し込んで固定するようになる。なお、光源側固定手段４０も同様に、２箇所の固定部と、各固定部の間にワイヤハーネス３８を押し込んで固定する弾性を有する押さえ部と、を備え、ワイヤハーネス３８の装着前の状態で、固定部及び押さえ部の最も近い部分の間隔がワイヤハーネス３８の太さより狭くなるようにしている（詳細は図示せず）。
更に、アウタープレート１０には、ワイヤハーネス３８が移動可能に貫通する通過孔４６が形成されている。そして、光源側固定手段４０は通過孔４６の近傍に配置されるようにしている。
【００１３】
この室内照明灯１は、乗用車の前部座席上方の天井３５であり、バックミラー周辺の位置に１個だけ設けられている。これにより、前部座席の乗員の手元から後部座席の後ろの荷室まで広い範囲を照射することができる。
【００１４】
（２）室内照明灯の作用
次に、前記構成の室内照明灯１の組み立て手順について説明する。
先ず、レンズ３にＬＥＤホルダー１２を装着し、そこにＬＥＤユニット１１を載せてＬＥＤホールドプレート１３で挟んで照射部４を組み立てる。ＬＥＤユニット１１にワイヤハーネス３８の光源側コネクタ４１を接続し、ワイヤハーネス３８をＬＥＤホールドプレート１３のＵ字溝４２を通してからＬＥＤユニット１１の放熱板を回避させつつＬＥＤホールドプレート１３の周囲を半周させて、光源側固定手段４０に固定する。
この照射部４をレンズホルダ７に装着する。そして、２つのシム１８，１９を取り付けた支持リング８をレンズホルダ７の内側に装着する。
この時、第１の回転軸端１４を第１の軸受２０に支持させ、同時に第１のシム１８を第１のシム受け孔１５に支持させるようにする。更に、支持リング８をアウタープレート１０に装着する。この時、アウタープレート１０の第２の回転軸端２３を第２の軸受１６に支持させ、同時に第２のシム１９を第２のシム受け２４に支持させるようにする。
一方、アウターベゼル９の内側にスイッチノブ２６を装着する。この時、スイッチノブ２６のフランジ３１がアウターベゼル９の案内孔３２に入るようにする。そして、スイッチプレート２７とスイッチスプリング２８を装着し、またピン２９とピンスプリング３０も装着する。
続いて、照射部４、レンズホルダ７及び支持リング８を組み付けたアウタープレート１０をアウターベゼル９に取り付ける。この時、ワイヤハーネス３８を通過孔４６を通してアウタープレート１０の外側に引き出す。更に、アウタープレート１０の外側に基板３３をネジ留めし、ワイヤハーネス３８のスイッチ側コネクタ４７を接続する。そして、ワイヤハーネス３８のコネクタ４７の近傍をスイッチ側固定手段４３に固定する。
室内照明灯１を天井３５に取り付ける際は、図６に示すように、アウターベゼル９の爪３６を天井３５の装着穴の縁に斜めに引っ掛け、それから反対側を持ち上げて係合バネ３７を弾性変形させて天井３５の裏に押し込むようにする。これにより、爪３６と係合バネ３７が天井３５の裏に引っ掛かって脱落が防止される。
【００１５】
次に、前記構成の室内照明灯１の動作について説明する。
使用者がスイッチノブ２６を把持して回転させると、スイッチプレート２７が移動して光源２のオンオフが切り替わる。また、使用者がレンズホルダ７を把持して光軸を変えるように外力を加えると、図７に示すように、レンズホルダ７がアウタープレート１０に対して支持リング８の２つの回転軸２２，２５を介して適宜回転する。これにより、可動範囲内で任意の位置を照射することができるようになる。ここで、回転軸２２，２５にはシム１８，１９を使用しているので、任意の角度に設定したまま維持することができる。
回転時には、図５に示すように、ワイヤハーネス３８は光源側固定手段４０とスイッチ側固定手段４３との間でのみ変形し、ワイヤハーネス３８の両端部のコネクタ４１，４７付近には外力が掛からない。
【００１６】
（３）実施例の効果
本実施例の室内照明灯１のワイヤハーネス３８の取付構造によれば、スイッチ側固定手段４３がワイヤハーネス３８の端部近傍を固定しているので、コネクタ４１とスイッチ側固定手段４３との距離を短くしてワイヤハーネス３８が他の部材に噛み込む可能性を低く抑えることができる。
また、本実施例では、スイッチ側固定手段４３の固定部４４は、図１等に示すように、突出している。このため、ワイヤハーネス３８のスイッチ側コネクタ４７とスイッチ側固定手段４３との高低差が小さくなり、ワイヤハーネス３８の屈曲によるコネクタ４７への負荷を極力減らすことができる。
また、本実施例では、各固定手段４０，４３がクランプであるので、簡易な構造で強い固定力を得ることができる。更に、各クランプが、２箇所の固定部４４及び押さえ部４５を備えると共に固定部４４及び押さえ部４５の間隔がワイヤハーネス３８より狭くなるようにしているので、各固定部４４と押さえ部４５との間の２箇所でワイヤハーネス３８を噛み込ませて固定を確実に行うことができる。
また、本実施例では、ワイヤハーネス３８の両端部を隔てる部材であるアウタープレート１０にワイヤハーネス３８が移動可能に貫通する通過孔４６を形成すると共に、光源側固定手段４０が通過孔４６の近傍に配置されているので、光源側固定手段４０で固定されたワイヤハーネス３８はそのまま真っ直ぐに通過孔４６を貫通する。このため、照射部４の回転時でも光源側固定手段４０からのワイヤハーネス３８は通過孔４６の中を長手方向に移動するので、他の部材に噛み込む可能性を抑えることができる。
【００１７】
尚、本発明においては、前記実施例に限られず、目的、用途に応じて本発明の範囲内で種々変更した実施例とすることができる。即ち、前記実施例では、スイッチ側固定手段４３がワイヤハーネス３８の端部近傍において固定するようにしたが、これに限定されず、例えば、ワイヤハーネス３８の端部よりも離れた箇所を固定するようにしてもよい。この場合でも、ワイヤハーネス３８は各固定手段４０，４３の間でのみ変形し、ワイヤハーネス３８自体の屈曲による負荷もスイッチ側コネクタ４７に掛からないので、ワイヤハーネス３８の両端部のコネクタ４１，４７付近に外力が掛かることを防止できる。従って、ワイヤハーネス３８の抑える位置は各種設計条件に合わせて適宜設定できることになる。
また、本実施例では、スイッチ側固定手段４３の固定部４４はアウタープレート１０の表面から突出するようにしたが、これに限定されず、図１１に示すように、固定部４４’をアウタープレート１０の表面と同一平面上になるようにしてもよい。これにより、より簡易な構造とすることができる。
また、前記実施例では、各固定手段４１，４７がクランプであるようにしたが、これに限定されず、例えば、図１２に示すように、貫通孔４８と、その貫通孔４８の内側方向に向かって突出するように設けられた突出部４９と、において、ワイヤハーネス３８を突出部４９に屈曲変形させて係止する、といった構成をとるようにしてもよい。これにより、ワイヤハーネス３８の長手方向の動きを規制し、コネクタ部に負荷を掛けることなくワイヤハーネス３８を固定することができる。
また、前記実施例では、アウタープレート１０にワイヤハーネス３８が移動可能に貫通する通過孔４６を形成すると共に、光源側固定手段４０が通過孔４６の近傍に配置されるようにしたが、これに限定されず、例えば、ワイヤハーネス３８をその両端部が隔てられている部材の周囲を迂回させるようにしてもよい。あるいは、前記実施例では、アウタープレート１０の外側に基板３３が設けられ、スイッチ側コネクタはハウジング６の外側において接続されているが、これに限定されず、例えば、アウタープレート１０の内側に基板３３が設けられ、そこへスイッチ側コネクタ４７を接続するようにしてもよい。このようにコネクタ４１，４７を接続する部材が同じ空間（ハウジング６の内側空間）にあってワイヤハーネス３８の両端部を隔てる部材が存在しない場合は、通過孔４６を省略することができる。
また、本実施例では、ワイヤハーネス取付構造を自動車等の室内照明灯に適用したが、これに限定されず、可動光源を有する照明灯全般に広く適用することができる。
【産業上の利用可能性】
【００１８】
可動光源を備えた照明灯におけるワイヤハーネス取付構造として利用される。特に、互いに相対回転あるいは相対移動可能な光源と固定部との間に接続されたワイヤハーネスが光源の移動の際に変形しても端部のコネクタとワイヤハーネスとの間に外力が掛からず断線を防止することが可能な取付構造として好適に利用される。
【図面の簡単な説明】
【００１９】
【図１】室内照明灯を第１の回転軸に沿って切断した状態を示す縦断面図である。
【図２】室内照明灯を第２の回転軸に沿って切断した状態を示す縦断面図である。
【図３】室内照明灯の分解組立図である。
【図４】第１の回転軸及び第２の回転軸を示す斜視図である。
【図５】照射部を最大に回転させてワイヤハーネスが屈折した状態を示す縦断面図である。
【図６】室内照明灯を天井に装着する作業途中の状態を示す縦断面図である。
【図７】照射部の回転のパターンを示す斜視図であり、（Ａ）は中立位置にある場合、（Ｂ）は第１の回転軸を中心に回転した場合、（Ｃ）は第２の回転軸を中心に回転した場合を示す。
【図８】スイッチ側固定手段及び光源側固定手段の位置関係を示す斜視図である。
【図９】スイッチ側固定手段を示す斜視図である。
【図１０】スイッチ側固定手段を示す断面図である。
【図１１】固定手段の他の実施例を示す断面図である。
【図１２】固定手段の更に他の実施例を示す平面図及び断面図である。
【図１３】従来の室内照明灯を示す断面図である。
【図１４】従来のワイヤハーネス取付構造を示す断面図であり、（Ａ）はＵ字溝、（Ｂ）は鉤爪を示す。
【符号の説明】
【００２０】
１；室内照明灯、２；光源、３；レンズ、４；照射部、５；リング式スイッチ、６；ハウジング、３８；ワイヤハーネス、４０；光源側固定手段、４１；光源側コネクタ、４３；スイッチ側固定手段、４４、４４’；固定部、４５；押さえ部、４６；通過孔、４７；スイッチ側コネクタ。
【図１】
0004793365.tif 000002
【図２】
0004793365.tif 000003
【図３】
0004793365.tif 000004
【図４】
0004793365.tif 000005
【図５】
0004793365.tif 000006
【図６】
0004793365.tif 000007
【図７】
0004793365.tif 000008
【図８】
0004793365.tif 000009
【図９】
0004793365.tif 000010
【図１０】
0004793365.tif 000011
【図１１】
0004793365.tif 000012
【図１２】
0004793365.tif 000013
【図１３】
0004793365.tif 000014
【図１４】
0004793365.tif 000015